(57)【要約】情報伝送方法、リソース割り当て方法、端末装置及びネットワーク装置を提供する。方法は、端末装置が第１サービスと第１アドレスとのマッピング関係を含む第１マッピング関係情報、及び第１サービスと少なくとも１つの第１キャリアとのマッピング関係を含む第２マッピング関係情報の取得ステップ、端末装置の第１サービスに対応する第１インデックスの決定ステップ、端末装置の第１インデックスと当該第１キャリアとのマッピング関係を含む第３マッピング関係情報の決定ステップ、端末装置のネットワーク装置への第３マッピング関係情報の送信ステップを含む。本発明の実施例では、端末装置は、第１アドレスに対応する当該第１キャリアを第１インデックスに対応する当該１つの第１キャリアに変換し、ネットワーク装置に報告するので、ネットワーク装置は、第１インデックスに基づき、第１アドレスに対応する当該１つの第１キャリアを決定できる。【選択図】図３
2021505025.tif 000002
【特許請求の範囲】
【請求項１】
情報伝送方法であって、
端末装置が第１のサービスと第１のアドレスとのマッピング関係を含む第１のマッピング関係情報、および前記第１のサービスと少なくとも１つの第１のキャリアとのマッピング関係を含む第２のマッピング関係情報を取得するステップと、
前記端末装置が前記第１のサービスに対応する第１のインデックスを決定するステップと、
前記端末装置が前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するステップと、
前記端末装置がネットワーク装置に前記第３のマッピング関係情報を送信するステップと、を含むことを特徴とする情報伝送方法。
【請求項２】
前記端末装置が前記第１のサービスの第１のデータ量を取得するステップと、
前記端末装置が前記第１のマッピング関係情報、前記第２のマッピング関係情報および前記第１のインデックスに基づいて、前記第１のインデックスと前記第１のデータ量とのマッピング関係を含む第４のマッピング関係情報を決定するステップと、
前記端末装置が前記ネットワーク装置に前記第４のマッピング関係情報を送信するステップと、をさらに含むことを特徴とする請求項１に記載の方法。
【請求項３】
前記第１のアドレスと前記第１のインデックスとは異なることを特徴とする請求項１または２に記載の方法。
【請求項４】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記方法は、
前記端末装置が前記第２のサービスに対応する、前記第１のインデックスと異なる第２のインデックスを決定するステップと、
前記端末装置が前記第１のマッピング関係情報、前記第２のマッピング関係情報および前記第２のインデックスに基づいて、前記第２のインデックスと前記少なくとも１つの第２のキャリアとのマッピング関係をさらに含む前記第３のマッピング関係情報を決定するステップと、をさらに含むことを特徴とする請求項１〜３のいずれか一項に記載の方法。
【請求項５】
前記第１のアドレスと前記第２のアドレスとは異なることを特徴とする請求項４に記載の方法。
【請求項６】
前記第１のアドレスと前記第２のアドレスとは同じであることを特徴とする請求項４に記載の方法。
【請求項７】
前記第２のアドレスと前記第２のインデックスとは異なることを特徴とする請求項４に記載の方法。
【請求項８】
前記第２のアドレスと前記第２のインデックスとは同じであることを特徴とする請求項４に記載の方法。
【請求項９】
前記端末装置が前記第１のサービスに対応する第１のインデックスを決定するステップは、
前記端末装置が前記第１のアドレスを含むアドレスリストを生成するステップと、
前記端末装置が前記第１のアドレスの前記アドレスリストにおける順序を前記第１のインデックスとして決定するステップと、を含むことを特徴とする請求項１〜８のいずれか一項に記載の方法。
【請求項１０】
前記アドレスリストは前記第２のアドレスをさらに含み、前記第２のアドレスの前記アドレスリストにおける順序は第２のサービスに対応する第２のインデックスであることを特徴とする請求項９に記載の方法。
【請求項１１】
前記端末装置が前記ネットワーク装置に前記アドレスリストを送信するステップをさらに含むことを特徴とする請求項９または１０に記載の方法。
【請求項１２】
前記端末装置が前記第１のサービスに対応する第１のインデックスを決定するステップは、
前記端末装置が前記第１のアドレスに対応するインデックスを前記第１のインデックスとして決定するステップを含むことを特徴とする請求項１〜８のいずれか一項に記載の方法。
【請求項１３】
前記端末装置が前記第１のアドレスと前記第１のインデックスとのマッピング関係を含む第５のマッピング関係情報を生成するステップと、
前記端末装置が前記ネットワーク装置に前記第５のマッピング関係を送信するステップと、をさらに含むことを特徴とする請求項１２に記載の方法。
【請求項１４】
前記第１のインデックスは前記端末装置のアクセス層で決定された前記第１のサービスの第３のアドレスであることを特徴とする請求項１〜８のいずれか一項に記載の方法。
【請求項１５】
前記端末装置が前記ネットワーク装置に前記第１のインデックスを送信するステップをさらに含むことを特徴とする請求項１２〜１４のいずれか一項に記載の方法。
【請求項１６】
リソース割り当て方法であって、
ネットワーク装置が第１のインデックスを決定するステップと、
前記ネットワーク装置が前記端末装置から送信された、前記第１のインデックスと少なくとも１つの第１のキャリアとのマッピング関係を含む前記第３のマッピング関係情報を受信するステップと、
前記ネットワーク装置が前記第３のマッピング関係情報および前記第１のインデックスに基づいて、前記第１のインデックスに対応する前記少なくとも１つの第１のキャリアを決定するステップと、
前記ネットワーク装置が前記少なくとも１つの第１のキャリアに基づいて、端末装置にリソースを割り当てるステップと、を含むことを特徴とするリソース割り当て方法。
【請求項１７】
前記ネットワーク装置が前記少なくとも１つの第１のキャリアに基づいて、端末装置にリソースを割り当てるステップは、
前記ネットワーク装置が前記第１のインデックスと第１のデータ量とのマッピング関係を含む第４のマッピング関係情報を取得するステップと、
前記ネットワーク装置が前記少なくとも１つの第１のキャリアおよび前記第１のデータ量に基づいて、前記端末装置にリソースを割り当てるステップと、を含むことを特徴とする請求項１６に記載の方法。
【請求項１８】
前記第１のアドレスと前記第１のインデックスとは異なることを特徴とする請求項１６または１７に記載の方法。
【請求項１９】
前記第３のマッピング関係情報は前記第２のインデックスと少なくとも１つの第２のキャリアとのマッピング関係をさらに含み、前記第１のインデックスと前記第２のインデックスとは異なることを特徴とする請求項１６〜１８のいずれか一項に記載の方法。
【請求項２０】
前記第１のアドレスと前記第２のアドレスとは異なることを特徴とする請求項１９に記載の方法。
【請求項２１】
前記第１のアドレスと前記第２のアドレスとは同じであることを特徴とする請求項１９に記載の方法。
【請求項２２】
前記第２のアドレスと前記第２のインデックスとは異なることを特徴とする請求項１９に記載の方法。
【請求項２３】
前記第２のアドレスと前記第２のインデックスとは同じであることを特徴とする請求項１９に記載の方法。
【請求項２４】
前記ネットワーク装置が第１のインデックスを決定するステップは、
前記ネットワーク装置が前記端末装置から送信されたアドレスリストを受信するステップと、
前記ネットワーク装置が前記アドレスリスト中の第１のアドレスの前記アドレスリストにおける順序を前記第１のインデックスとして決定するステップと、を含むことを特徴とする請求項１６〜２３のいずれか一項に記載の方法。
【請求項２５】
前記アドレスリストは前記第２のアドレスをさらに含み、前記第２のアドレスの前記アドレスリストにおける順序は前記第２のアドレスに対応する第２のインデックスであることを特徴とする請求項２４に記載の方法。
【請求項２６】
前記ネットワーク装置が第１のインデックスを決定するステップは、
前記ネットワーク装置が前記端末装置から送信された前記第１のインデックスを受信するステップを含むことを特徴とする請求項１６〜２３のいずれか一項に記載の方法。
【請求項２７】
前記第１のインデックスは前記端末装置のアクセス層で決定された第３のアドレスであることを特徴とする請求項２６に記載の方法。
【請求項２８】
前記ネットワーク装置が前記端末装置から送信された、前記第１のアドレスと前記第１のインデックスとのマッピング関係を含む第５のマッピング関係情報を受信することにより、前記ネットワーク装置が前記第５のマッピング関係および前記第１のインデックスに基づいて前記第１のアドレスを決定するステップをさらに含むことを特徴とする請求項１６〜２７のいずれか一項に記載の方法。
【請求項２９】
端末装置であって、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する第１のインデックスを決定し、
前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するために用いられる処理ユニットと、
ネットワーク装置に前記第３のマッピング関係情報を送信するために用いられる送受信ユニットと、を含むことを特徴とする端末装置。
【請求項３０】
前記処理ユニットは、さらに、
前記第１のサービスの第１のデータ量を取得し、
前記第１のマッピング関係情報、前記第２のマッピング関係情報および前記第１のインデックスに基づいて、前記第１のインデックスと前記第１のデータ量とのマッピング関係を含む第４のマッピング関係情報を決定するために用いられ、
前記送受信ユニットは、さらに、
前記ネットワーク装置に前記第４のマッピング関係情報を送信するために用いられることを特徴とする請求項２９に記載の端末装置。
【請求項３１】
前記第１のアドレスと前記第１のインデックスとは異なることを特徴とする請求項２９または３０に記載の端末装置。
【請求項３２】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記処理ユニットは、さらに、
前記第２のサービスに対応する、前記第１のインデックスと異なる第２のインデックスを決定し、
前記第１のマッピング関係情報、前記第２のマッピング関係情報および前記第２のインデックスに基づいて、前記第２のインデックスと前記少なくとも１つの第２のキャリアとのマッピング関係をさらに含む前記第３のマッピング関係情報を決定するために用いられることを特徴とする請求項２９〜３１のいずれか一項に記載の端末装置。
【請求項３３】
前記第１のアドレスと前記第２のアドレスとは異なることを特徴とする請求項３２に記載の端末装置。
【請求項３４】
前記第１のアドレスと前記第２のアドレスとは同じであることを特徴とする請求項３２に記載の端末装置。
【請求項３５】
前記第２のアドレスと前記第２のインデックスとは異なることを特徴とする請求項３２に記載の端末装置。
【請求項３６】
前記第２のアドレスと前記第２のインデックスとは同じであることを特徴とする請求項３２に記載の端末装置。
【請求項３７】
前記処理ユニットは、具体的には、
前記第１のアドレスを含むアドレスリストを生成し、
第１のアドレスの前記アドレスリストにおける順序を前記第１のインデックスとして決定するために用いられることを特徴とする請求項２９〜３６のいずれか一項に記載の端末装置。
【請求項３８】
前記アドレスリストは前記第２のアドレスを含み、前記第２のアドレスの前記アドレスリストにおける順序は第２のサービスに対応する第２のインデックスであることを特徴とする請求項３７に記載の端末装置。
【請求項３９】
前記送受信ユニットは、さらに、
前記ネットワーク装置に前記アドレスリストを送信するために用いられることを特徴とする請求項３７または３８に記載の端末装置。
【請求項４０】
前記処理ユニットは、具体的には、
前記第１のアドレスに対応するインデックスを前記第１のインデックスとして決定するために用いられることを特徴とする請求項２９〜３６のいずれか一項に記載の端末装置。
【請求項４１】
前記処理ユニットは、さらに、前記第１のアドレスと前記第１のインデックスとのマッピング関係を含む第５のマッピング関係情報を生成するために用いられ、前記送受信ユニットは、さらに前記ネットワーク装置に前記第５のマッピング関係を送信するために用いられることを特徴とする請求項４０に記載の端末装置。
【請求項４２】
前記第１のインデックスは前記端末装置のアクセス層で決定された前記第１のサービスの第３のアドレスであることを特徴とする請求項２９〜３６のいずれか一項に記載の端末装置。
【請求項４３】
前記送受信ユニットは、さらに、
前記ネットワーク装置に前記第１のインデックスを送信するために用いられることを特徴とする請求項４０〜４２のいずれか一項に記載の端末装置。
【請求項４４】
ネットワーク装置であって、
第１のインデックスを決定するために用いられる処理ユニットと、
前記端末装置から送信された、前記第１のインデックスと少なくとも１つの第１のキャリアとのマッピング関係を含む前記第３のマッピング関係情報を受信するために用いられる送受信ユニットと、を含み、
前記処理ユニットは、さらに、
前記第３のマッピング関係情報および前記第１のインデックスに基づいて、前記第１のインデックスに対応する前記少なくとも１つの第１のキャリアを決定し、
前記少なくとも１つの第１のキャリアに基づいて、端末装置にリソースを割り当てるために用いられることを特徴とするネットワーク装置。
【請求項４５】
前記処理ユニットは、具体的には、
前記第１のインデックスと第１のデータ量とのマッピング関係を含む第４のマッピング関係情報を取得し、
前記少なくとも１つの第１のキャリアおよび前記第１のデータ量に基づいて、前記端末装置にリソースを割り当てるために用いられることを特徴とする請求項４４に記載のネットワーク装置。
【請求項４６】
前記第１のアドレスと前記第１のインデックスとは異なることを特徴とする請求項４４または４５に記載のネットワーク装置。
【請求項４７】
前記第３のマッピング関係情報は前記第２のインデックスと少なくとも１つの第２のキャリアとのマッピング関係をさらに含み、前記第１のインデックスと前記第２のインデックスとは異なることを特徴とする請求項４４〜４６のいずれか一項に記載のネットワーク装置。
【請求項４８】
前記第１のアドレスと前記第２のアドレスとは異なることを特徴とする請求項４７に記載のネットワーク装置。
【請求項４９】
前記第１のアドレスと前記第２のアドレスとは同じであることを特徴とする請求項４７に記載のネットワーク装置。
【請求項５０】
前記第２のアドレスと前記第２のインデックスとは異なることを特徴とする請求項４７に記載のネットワーク装置。
【請求項５１】
前記第２のアドレスと前記第２のインデックスとは同じであることを特徴とする請求項４７に記載のネットワーク装置。
【請求項５２】
前記処理ユニットは、具体的には、
前記端末装置から送信されたアドレスリストを受信し、
前記アドレスリスト中の第１のアドレスの前記アドレスリストにおける順序を前記第１のインデックスとして決定するために用いられることを特徴とする請求項４４〜５１のいずれか一項に記載のネットワーク装置。
【請求項５３】
前記アドレスリストは前記第２のアドレスをさらに含み、前記第２のアドレスの前記アドレスリストにおける順序は前記第２のアドレスに対応する第２のインデックスであることを特徴とする請求項５２に記載のネットワーク装置。
【請求項５４】
前記送受信ユニットは、さらに、
前記端末装置から送信された前記第１のインデックスを受信するために用いられることを特徴とする請求項４４〜５１のいずれか一項に記載のネットワーク装置。
【請求項５５】
前記第１のインデックスは前記端末装置のアクセス層で決定された第３のアドレスであることを特徴とする請求項５４に記載のネットワーク装置。
【請求項５６】
前記送受信ユニットは、さらに、
前記端末装置から送信された、前記第１のアドレスと前記第１のインデックスとのマッピング関係を含む第５のマッピング関係情報を受信することにより、前記ネットワーク装置が前記第５のマッピング関係および前記第１のインデックスに基づいて前記第１のアドレスを決定するために用いられることを特徴とする請求項５４に記載のネットワーク装置。
【請求項５７】
情報伝送方法であって、
端末装置が第１のサービスと第１のアドレスとのマッピング関係を含む第１のマッピング関係情報、および前記第１のサービスと少なくとも１つの第１のキャリアとのマッピング関係を含む第２のマッピング関係情報を取得するステップと、
前記端末装置が前記第１のサービスに対応する少なくとも１つの第１のインデックスを決定するステップと、
前記端末装置が前記第１のサービスの第１のデータ量を取得するステップと、
前記端末装置が前記第１のマッピング関係情報、前記第２のマッピング関係情報および前記少なくとも１つの第１のインデックスに基づいて、前記少なくとも１つの第１のインデックスと前記第１のデータ量とのマッピング関係を含む第４のマッピング関係情報を決定するステップと、
前記端末装置がネットワーク装置に前記第４のマッピング関係情報を送信するステップと、を含むことを特徴とする情報伝送方法。
【請求項５８】
前記端末装置が前記第１のマッピング関係情報および前記第２のマッピング関係情報に基づいて、前記第１のアドレスに対応する前記少なくとも１つの第１のキャリアを含む第１のリストを決定するステップと、
前記端末装置が前記ネットワーク装置に前記第１のリストを送信するステップと、をさらに含むことを特徴とする請求項５７に記載の方法。
【請求項５９】
前記第１のアドレスと前記少なくとも１つの第１のインデックスのそれぞれとは異なることを特徴とする請求項５７または５８に記載の方法。
【請求項６０】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記方法は、
前記端末装置が前記第２のサービスに対応する少なくとも１つの第２のインデックスを決定し、前記少なくとも１つの第１のインデックスのそれぞれと前記少なくとも１つの第２のインデックスのそれぞれとが異なるステップと、
前記端末装置が前記第２のサービスの第２のデータ量を取得するステップと、
前記端末装置が前記第１のマッピング関係情報、前記第２のマッピング関係情報および前記少なくとも１つの第２のインデックスに基づいて、前記少なくとも１つの第２のインデックスと前記第２のデータ量とのマッピング関係をさらに含む前記第４のマッピング関係情報を決定するステップと、をさらに含むことを特徴とする請求項５７〜５９のいずれか一項に記載の方法。
【請求項６１】
前記第１のアドレスと前記第２のアドレスとは異なることを特徴とする請求項６０に記載の方法。
【請求項６２】
前記第１のアドレスと前記第２のアドレスとは同じであることを特徴とする請求項６０に記載の方法。
【請求項６３】
前記第２のアドレスと前記少なくとも１つの第２のインデックスのそれぞれとは異なることを特徴とする請求項６０に記載の方法。
【請求項６４】
前記少なくとも１つの第２のインデックスは１つの第２のインデックスのみを含み、前記第２のアドレスと前記１つの第２のインデックスとは同じであることを特徴とする請求項６０に記載の方法。
【請求項６５】
前記端末装置が前記第１のサービスに対応する少なくとも１つの第１のインデックスを決定するステップは、
前記端末装置が前記第１のアドレスを含むアドレスリストを生成するステップと、
前記端末装置が前記第１のアドレスの前記アドレスリストにおける順序に従って、前記少なくとも１つの第１のインデックスを決定するステップと、を含むことを特徴とする請求項５７〜６４のいずれか一項に記載の方法。
【請求項６６】
前記端末装置が前記第１のアドレスの前記アドレスリストにおける順序に従って、前記少なくとも１つの第１のインデックスを決定するステップは、
前記端末装置が前記第１のアドレスの前記アドレスリストにおける順序に従って、１つのインデックスを決定し、かつ前記１つのインデックスを前記少なくとも１つの第１のインデックスとして決定するステップを含むことを特徴とする請求項６５に記載の方法。
【請求項６７】
前記第１のアドレスは少なくとも１つの第１のキャリアに対応し、
前記端末装置が前記第１のアドレスの前記アドレスリストにおける順序に従って、前記少なくとも１つの第１のインデックスを決定するステップは、
前記端末装置が前記第１のアドレスの前記アドレスリストにおける順序に従って、前記アドレスリストにおける各アドレスに対応するキャリアを含むキャリアリストを決定するステップと、
前記端末装置が前記キャリアリストにおける前記少なくとも１つの第１のキャリアのそれぞれの順序に従って、少なくとも１つのインデックスを決定し、かつ前記少なくとも１つのインデックスを前記少なくとも１つの第１のインデックスとして決定するステップと、を含むことを特徴とする請求項６５に記載の方法。
【請求項６８】
前記端末装置が前記ネットワーク装置に前記アドレスリストを送信するステップをさらに含むことを特徴とする請求項６５〜６７のいずれか一項に記載の方法。
【請求項６９】
前記端末装置が前記第１のサービスに対応する少なくとも１つの第１のインデックスを決定するステップは、
前記端末装置が前記第１のアドレスに対応するインデックスを前記少なくとも１つの第１のインデックスとして決定するステップを含むことを特徴とする請求項５７〜６４のいずれか一項に記載の方法。
【請求項７０】
前記端末装置が前記第１のアドレスと前記少なくとも１つの第１のインデックスとのマッピング関係を含む第５のマッピング関係情報を生成するステップと、
前記端末装置が前記ネットワーク装置に前記第５のマッピング関係を送信するステップと、をさらに含むことを特徴とする請求項６９に記載の方法。
【請求項７１】
前記少なくとも１つの第１のインデックスは１つの第１のインデックスのみを含み、前記１つの第１のインデックスは前記端末装置のアクセス層で決定された前記第１のサービスの第３のアドレスであることを特徴とする請求項５７〜６４のいずれか一項に記載の方法。
【請求項７２】
前記端末装置が前記ネットワーク装置に前記少なくとも１つの第１のインデックスを送信するステップをさらに含むことを特徴とする請求項６９〜７１のいずれか一項に記載の方法。
【請求項７３】
リソース割り当て方法であって、
ネットワーク装置が少なくとも１つの第１のインデックスを決定するステップと、
前記ネットワーク装置が端末装置から送信された、前記少なくとも１つの第１のインデックスと第１のデータ量とのマッピング関係を含む第４のマッピング関係情報を受信するステップと、
前記ネットワーク装置が前記第１のデータ量に基づいて、前記端末装置にリソースを割り当てるステップと、を含むことを特徴とするリソース割り当て方法。
【請求項７４】
前記ネットワーク装置が前記第１のデータ量に基づいて、前記端末装置にリソースを割り当てるステップは、
前記ネットワーク装置が前記端末装置から送信された、第１のアドレスに対応する少なくとも１つの第１のキャリアを含む第１のリストを受信するステップと、
前記ネットワーク装置が前記少なくとも１つの第１のキャリアおよび前記第１のデータ量に基づいて、前記端末装置にリソースを割り当てるステップと、を含むことを特徴とする請求項７３に記載の方法。
【請求項７５】
前記第１のアドレスと前記少なくとも１つの第１のインデックスのそれぞれとは異なることを特徴とする請求項７３または７４に記載の方法。
【請求項７６】
前記第４のマッピング関係情報は少なくとも１つの第２のインデックスと第２のデータ量とのマッピング関係をさらに含み、前記少なくとも１つの第１のインデックスのそれぞれと前記少なくとも１つの第２のインデックスのそれぞれとは異なることを特徴とする請求項７３〜７５のいずれか一項に記載の方法。
【請求項７７】
前記第１のアドレスと前記第２のアドレスとは異なることを特徴とする請求項７６に記載の方法。
【請求項７８】
前記第１のアドレスと前記第２のアドレスとは同じであることを特徴とする請求項７６に記載の方法。
【請求項７９】
前記第２のアドレスと前記少なくとも１つの第２のインデックスのそれぞれとは異なることを特徴とする請求項７６に記載の方法。
【請求項８０】
前記少なくとも１つの第２のインデックスは１つの第２のインデックスのみを含み、前記第２のアドレスと前記１つの第２のインデックスとは同じであることを特徴とする請求項７６に記載の方法。
【請求項８１】
前記ネットワーク装置が少なくとも１つの第１のインデックスを決定するステップは、
前記ネットワーク装置が前記端末装置から送信されたアドレスリストを受信するステップと、
前記ネットワーク装置が前記アドレスリスト中の第１のアドレスの前記アドレスリストにおける順序に従って、前記少なくとも１つの第１のインデックスを決定するステップと、を含むことを特徴とする請求項７３〜８０のいずれか一項に記載の方法。
【請求項８２】
前記ネットワーク装置が前記アドレスリスト中の第１のアドレスの前記アドレスリストにおける順序に従って、前記少なくとも１つの第１のインデックスを決定するステップは、
前記ネットワーク装置が前記第１のアドレスの前記アドレスリストにおける順序に従って、１つのインデックスを決定し、かつ前記１つのインデックスを前記少なくとも１つの第１のインデックスとして決定するステップを含むことを特徴とする請求項８１に記載の方法。
【請求項８３】
前記第１のアドレスは少なくとも１つの第１のキャリアに対応し、
前記ネットワーク装置が前記第１のアドレスの前記アドレスリストにおける順序に従って、前記少なくとも１つの第１のインデックスを決定するステップは、
前記ネットワーク装置が前記第１のアドレスの前記アドレスリストにおける順序に従って、前記アドレスリストにおける各アドレスに対応するキャリアを含むキャリアリストを決定するステップと、
前記ネットワーク装置が前記キャリアリストにおける前記少なくとも１つの第１のキャリアのそれぞれの順序に従って、少なくとも１つのインデックスを決定し、かつ前記少なくとも１つのインデックスを前記少なくとも１つの第１のインデックスとして決定するステップと、を含むことを特徴とする請求項８１に記載の方法。
【請求項８４】
前記ネットワーク装置が少なくとも１つの第１のインデックスを決定するステップは、
前記ネットワーク装置が前記端末装置から送信された前記少なくとも１つの第１のインデックスを受信するステップを含むことを特徴とする請求項７３〜８０のいずれか一項に記載の方法。
【請求項８５】
前記少なくとも１つの第１のインデックスは１つの第１のインデックスのみを含み、前記１つの第１のインデックスは前記端末装置のアクセス層で決定された第３のアドレスであることを特徴とする請求項８４に記載の方法。
【請求項８６】
前記ネットワーク装置が前記端末装置から送信された、前記第１のアドレスと前記少なくとも１つの第１のインデックスとのマッピング関係を含む第５のマッピング関係情報を受信することにより、前記ネットワーク装置が前記第５のマッピング関係および前記少なくとも１つの第１のインデックスに基づいて、前記第１のアドレスを決定するステップをさらに含むことを特徴とする請求項７３〜８０のいずれか一項に記載の方法。
【請求項８７】
端末装置であって、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する少なくとも１つの第１のインデックスを決定し、
前記第１のサービスの第１のデータ量を取得し、
前記第１のマッピング関係情報、前記第２のマッピング関係情報および前記少なくとも１つの第１のインデックスに基づいて、前記少なくとも１つの第１のインデックスと前記第１のデータ量とのマッピング関係を含む第４のマッピング関係情報を決定するために用いられる処理ユニットと、
ネットワーク装置に前記第４のマッピング関係情報を送信するために用いられる送受信ユニットと、を含むことを特徴とする端末装置。
【請求項８８】
前記処理ユニットは、さらに、
前記第１のマッピング関係情報および前記第２のマッピング関係情報に基づいて、前記第１のアドレスに対応する前記少なくとも１つの第１のキャリアを含む第１のリストを決定するために用いられ、
前記送受信ユニットは、さらに、前記ネットワーク装置に前記第１のリストを送信するために用いられることを特徴とする請求項８７に記載の端末装置。
【請求項８９】
前記第１のアドレスと前記少なくとも１つの第１のインデックスのそれぞれとは異なることを特徴とする請求項８７または８８に記載の端末装置。
【請求項９０】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記処理ユニットは、さらに、
前記第２のサービスに対応する少なくとも１つの第２のインデックスを決定し、前記少なくとも１つの第１のインデックスのそれぞれと前記少なくとも１つの第２のインデックスのそれぞれとが異なり、
前記第２のサービスの第２のデータ量を取得し、
前記第１のマッピング関係情報、前記第２のマッピング関係情報および前記少なくとも１つの第２のインデックスに基づいて、前記少なくとも１つの第２のインデックスと前記第２のデータ量とのマッピング関係をさらに含む前記第４のマッピング関係情報を決定するために用いられることを特徴とする請求項８７〜８９のいずれか一項に記載の端末装置。
【請求項９１】
前記第１のアドレスと前記第２のアドレスとは異なることを特徴とする請求項９０に記載の端末装置。
【請求項９２】
前記第１のアドレスと前記第２のアドレスとは同じであることを特徴とする請求項９０に記載の端末装置。
【請求項９３】
前記第２のアドレスと前記少なくとも１つの第２のインデックスのそれぞれとは異なることを特徴とする請求項９０に記載の端末装置。
【請求項９４】
前記少なくとも１つの第２のインデックスは１つの第２のインデックスのみを含み、前記第２のアドレスと前記１つの第２のインデックスとは同じであることを特徴とする請求項９０に記載の端末装置。
【請求項９５】
前記処理ユニットは、具体的には、
前記第１のアドレスを含むアドレスリストを生成し、
前記第１のアドレスの前記アドレスリストにおける順序に従って、前記少なくとも１つの第１のインデックスを決定するために用いられることを特徴とする請求項８７〜９４のいずれか一項に記載の端末装置。
【請求項９６】
前記処理ユニットは、より具体的には、
前記第１のアドレスの前記アドレスリストにおける順序に従って、１つのインデックスを決定し、かつ前記１つのインデックスを前記少なくとも１つの第１のインデックスとして決定するために用いられることを特徴とする請求項９５に記載の端末装置。
【請求項９７】
前記第１のアドレスは少なくとも１つの第１のキャリアに対応し、前記処理ユニットは、より具体的には、
前記第１のアドレスの前記アドレスリストにおける順序に従って、前記アドレスリストにおける各アドレスに対応するキャリアを含むキャリアリストを決定し、
前記キャリアリストにおける前記少なくとも１つの第１のキャリアのそれぞれの順序に従って、少なくとも１つのインデックスを決定し、かつ前記少なくとも１つのインデックスを前記少なくとも１つの第１のインデックスとして決定するために用いられることを特徴とする請求項９５に記載の端末装置。
【請求項９８】
前記送受信ユニットは、さらに、
前記ネットワーク装置に前記アドレスリストを送信するために用いられることを特徴とする請求項９５〜９７のいずれか一項に記載の端末装置。
【請求項９９】
前記処理ユニットは、具体的には、
前記第１のアドレスに対応するインデックスを前記少なくとも１つの第１のインデックスとして決定するために用いられることを特徴とする請求項８７〜９４のいずれか一項に記載の端末装置。
【請求項１００】
前記処理ユニットは、より具体的には、
前記第１のアドレスと前記少なくとも１つの第１のインデックスとのマッピング関係を含む第５のマッピング関係情報を生成するために用いられ、
前記送受信ユニットは、さらに、前記ネットワーク装置に前記第５のマッピング関係を送信するために用いられることを特徴とする請求項９９に記載の端末装置。
【請求項１０１】
前記少なくとも１つの第１のインデックスは１つの第１のインデックスのみを含み、前記１つの第１のインデックスは前記端末装置のアクセス層で決定された前記第１のサービスの第３のアドレスであることを特徴とする請求項８７〜９４のいずれか一項に記載の端末装置。
【請求項１０２】
前記端末装置が前記ネットワーク装置に前記少なくとも１つの第１のインデックスを送信するステップをさらに含むことを特徴とする請求項９８〜１０１のいずれか一項に記載の端末装置。
【請求項１０３】
ネットワーク装置であって、
少なくとも１つの第１のインデックスを決定するために用いられる処理ユニットと、
端末装置から送信された、前記少なくとも１つの第１のインデックスと第１のデータ量とのマッピング関係を含む第４のマッピング関係情報を受信するために用いられる送受信ユニットと、を含み、
前記処理ユニットは、さらに、前記第１のデータ量に基づいて、前記端末装置にリソースを割り当てるために用いられることを特徴とするネットワーク装置。
【請求項１０４】
前記送受信ユニットは、さらに、
前記端末装置から送信された、第１のアドレスに対応する少なくとも１つの第１のキャリアを含む第１のリストを受信するために用いられ、
前記処理ユニットは、具体的には、
前記少なくとも１つの第１のキャリアおよび前記第１のデータ量に基づいて、前記端末装置にリソースを割り当てるために用いられることを特徴とする請求項１０３に記載のネットワーク装置。
【請求項１０５】
前記第１のアドレスと前記少なくとも１つの第１のインデックスのそれぞれとは異なることを特徴とする請求項１０３または１０４に記載のネットワーク装置。
【請求項１０６】
前記第４のマッピング関係情報は少なくとも１つの第２のインデックスと第２のデータ量とのマッピング関係をさらに含み、前記少なくとも１つの第１のインデックスのそれぞれと前記少なくとも１つの第２のインデックスのそれぞれとは異なることを特徴とする請求項１０３〜１０５のいずれか一項に記載のネットワーク装置。
【請求項１０７】
前記第１のアドレスと前記第２のアドレスとは異なることを特徴とする請求項１０６に記載のネットワーク装置。
【請求項１０８】
前記第１のアドレスと前記第２のアドレスとは同じであることを特徴とする請求項１０６に記載のネットワーク装置。
【請求項１０９】
前記第２のアドレスと前記少なくとも１つの第２のインデックスのそれぞれとは異なることを特徴とする請求項１０６に記載のネットワーク装置。
【請求項１１０】
前記少なくとも１つの第２のインデックスは１つの第２のインデックスのみを含み、前記第２のアドレスと前記１つの第２のインデックスとは同じであることを特徴とする請求項１０６に記載のネットワーク装置。
【請求項１１１】
前記送受信ユニットは、具体的には、
前記端末装置から送信されたアドレスリストを受信するために用いられ、
前記処理ユニットは、具体的には、
前記アドレスリスト中の第１のアドレスの前記アドレスリストにおける順序に従って、前記少なくとも１つの第１のインデックスを決定するために用いられることを特徴とする請求項１０３〜１１０のいずれか一項に記載のネットワーク装置。
【請求項１１２】
前記処理ユニットは、より具体的には、
前記第１のアドレスの前記アドレスリストにおける順序に従って、１つのインデックスを決定し、かつ前記１つのインデックスを前記少なくとも１つの第１のインデックスとして決定するために用いられることを特徴とする請求項１１１に記載のネットワーク装置。
【請求項１１３】
前記第１のアドレスは少なくとも１つの第１のキャリアに対応し、前記処理ユニットは、より具体的には、
前記第１のアドレスの前記アドレスリストにおける順序に従って、前記アドレスリストにおける各アドレスに対応するキャリアを含むキャリアリストを決定し、
前記キャリアリストにおける前記少なくとも１つの第１のキャリアのそれぞれの順序に従って、少なくとも１つのインデックスを決定し、かつ前記少なくとも１つのインデックスを前記少なくとも１つの第１のインデックスとして決定するために用いられることを特徴とする請求項１１１に記載のネットワーク装置。
【請求項１１４】
前記処理ユニットは、具体的には、前記端末装置から送信された前記少なくとも１つの第１のインデックスを受信するために用いられることを特徴とする請求項１０３〜１１０のいずれか一項に記載のネットワーク装置。
【請求項１１５】
前記少なくとも１つの第１のインデックスは１つの第１のインデックスのみを含み、前記１つの第１のインデックスは前記端末装置のアクセス層で決定された第３のアドレスであることを特徴とする請求項１１４に記載のネットワーク装置。
【請求項１１６】
前記送受信ユニットは、さらに、
前記端末装置から送信された、前記第１のアドレスと前記少なくとも１つの第１のインデックスとのマッピング関係を含む第５のマッピング関係情報を受信することにより、前記処理ユニットが前記第５のマッピング関係および前記少なくとも１つの第１のインデックスに基づいて、前記第１のアドレスを決定するために用いられることを特徴とする請求項１０３〜１１０のいずれか一項に記載のネットワーク装置。
【発明の詳細な説明】
【技術分野】
【０００１】
「関連出願の相互参照」
本願は、２０１７年１１月２４日に中国国家知識産権局に出願された、出願番号がＰＣＴ／ＣＮ２０１７／１１２９４３であり、発明の名称が「情報伝送方法、リソース割り当て方法、端末装置およびネットワーク装置」であるＰＣＴ特許出願の優先権を主張し、その内容全体は参照により本願に組み込まれる。
【０００２】
本発明の実施例は、通信の分野に関し、より具体的には、情報伝送方法、リソース割り当て方法、端末装置およびネットワーク装置に関する。
【背景技術】
【０００３】
カーネットシステムは、従来のＬＴＥシステムにおける基地局を介した通信データの受信または送信手段とは異なり、端末間直接通信の手段を採用し、したがって、より高いスペクトル効率およびより低い伝送遅延を有するロングタームエボリューション車車間通信（Ｌｏｎｇ  Ｔｅｒｍ  Ｅｖａｌｕａｔｉｏｎ  Ｖｅｈｉｃｌｅ  ｔｏ  Ｖｅｈｉｃｌｅ、ＬＴＥ（登録商標）  Ｖ２Ｖ）に基づくサイドリンク（Ｓｉｄｅｌｉｎｋ、ＳＬ）伝送技術である。
【０００４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ（登録商標））Ｒｅｌ−１４においてカーネット技術を利用する車とモノとの通信（Ｖｅｈｉｃｌｅ  ｔｏ  Ｅｖｅｒｙｔｈｉｎｇ、Ｖ２Ｘ）が標準化されており、モード３およびモード４という２つの伝送モードが定義されている。具体的には、モード３では、図１に示すように、車載端末（車載端末１２１および車載端末１２２）の伝送リソースは、基地局１１０によって割り当てられており、車載端末は、基地局１１０によって割り当てられたリソースに応じて、サイドリンクでデータの送信を行う。基地局１１０は、端末に一回伝送のリソースを割り当ててもよいし、端末に準静的伝送のリソースを割り当ててもよい。モード４では、図２に示すように、車載端末（車載端末１３１および車載端末１３２）は、傍受（ｓｅｎｓｉｎｇ）および予約（ｒｅｓｅｒｖａｔｉｏｎ）の伝送手段を採用する。具体的には、車載端末は、リソースプールにおいて傍受の手段によって利用可能な伝送リソース集合を取得し、端末は、該集合から１つのリソースをランダムに選択してデータの伝送を行う。
【０００５】
しかしながら、従来技術において、モード３では、１つの端末装置は１つのレイヤ２アドレスを有する複数のサービスをサポートでき、端末装置はネットワーク装置に各レイヤ２アドレスが少なくとも１つのキャリア（例えば、合計８つのキャリアがあり、サービス１がキャリア１、キャリア２およびキャリア３に対応し、サービス２がキャリア２、キャリア３およびキャリア４に対応する）に対応することを報告する。また、端末装置は、更に異なるレイヤ２アドレスに対応するデータ量をネットワーク装置に報告する。ネットワーク装置は、端末装置から報告されたレイヤ２アドレスに対応する少なくとも１つのキャリアおよびデータ量に基づいて、端末装置にＤ２Ｄ伝送用のリソースを割り当てる。
【０００６】
ただし、複数の異なるサービスに同じアドレスを割り当てることがあり、この場合には、ネットワーク装置は、これらのアドレスを明確に区別できず、さらに端末装置にリソースを割り当てることができない。
【発明の概要】
【発明が解決しようとする課題】
【０００７】
情報伝送方法、リソース割り当て方法、端末装置およびネットワーク装置を提供する。これにより、ネットワーク装置が端末装置にリソースを正確に割り当てることができる。
【課題を解決するための手段】
【０００８】
第１の態様によれば、
端末装置が第１のサービスと第１のアドレスとのマッピング関係を含む第１のマッピング関係情報、および前記第１のサービスと少なくとも１つの第１のキャリアとのマッピング関係を含む第２のマッピング関係情報を取得するステップと、
前記端末装置が前記第１のサービスに対応する第１のインデックスを決定するステップと、
前記端末装置が前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するステップと、
前記端末装置がネットワーク装置に前記第３のマッピング関係情報を送信するステップと、を含む情報伝送方法を提供する。
【０００９】
本発明の実施例では、端末装置は、サービスのアドレスを変換し、具体的には、第１のアドレスに対応する少なくとも１つの第１のキャリアを第１のインデックスに対応する少なくとも１つの第１のキャリアに変換する。かつ、ネットワーク装置が第１のインデックスに基づいて第１のアドレスに対応する少なくとも１つの第１のキャリアを決定するように、変換後のマッピング関係をネットワーク装置に報告する。
【００１０】
いくつかの可能な実施形態において、前記方法は、
前記端末装置が前記第１のサービスの第１のデータ量を取得するステップと、前記端末装置が前記第１のマッピング関係情報、前記第２のマッピング関係情報および前記第１のインデックスに基づいて、前記第１のインデックスと前記第１のデータ量とのマッピング関係を含む第４のマッピング関係情報を決定するステップと、前記端末装置が前記ネットワーク装置に前記第４のマッピング関係情報を送信するステップと、をさらに含む。
【００１１】
いくつかの可能な実施形態において、前記第１のアドレスと前記第１のインデックスとは異なる。
【００１２】
いくつかの可能な実施形態において、前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、前記方法は、
前記端末装置が前記第２のサービスに対応する、前記第１のインデックスと異なる第２のインデックスを決定するステップと、前記端末装置が前記第１のマッピング関係情報、前記第２のマッピング関係情報および前記第２のインデックスに基づいて、前記第２のインデックスと前記少なくとも１つの第２のキャリアとのマッピング関係をさらに含む前記第３のマッピング関係情報を決定するステップと、をさらに含む。
【００１３】
いくつかの可能な実施形態において、前記第１のアドレスと前記第２のアドレスとは異なる。
【００１４】
いくつかの可能な実施形態において、前記第１のアドレスと前記第２のアドレスとは同じである。
【００１５】
いくつかの可能な実施形態において、前記第２のアドレスと前記第２のインデックスとは異なる。
【００１６】
いくつかの可能な実施形態において、前記第２のアドレスと前記第２のインデックスとは同じである。
【００１７】
いくつかの可能な実施形態において、前記端末装置が前記第１のアドレスに対応する第１のインデックスを決定するステップは、
前記端末装置が前記第１のアドレスを含むアドレスリストを生成するステップと、前記端末装置が前記第１のアドレスの前記アドレスリストにおける順序を前記第１のインデックスとして決定するステップと、を含む。
【００１８】
いくつかの可能な実施形態において、前記アドレスリストは前記第２のアドレスをさらに含み、前記第２のアドレスの前記アドレスリストにおける順序は第２のサービスに対応する第２のインデックスである。
【００１９】
いくつかの可能な実施形態において、前記方法は、
前記端末装置が前記ネットワーク装置に前記アドレスリストを送信するステップをさらに含む。
【００２０】
いくつかの可能な実施形態において、前記端末装置が前記第１のサービスに対応する第１のインデックスを決定するステップは、
前記端末装置が前記第１のアドレスに対応するインデックスを前記第１のインデックスとして決定するステップを含む。
【００２１】
いくつかの可能な実施形態において、前記方法は、
前記端末装置が前記第１のアドレスと前記第１のインデックスとのマッピング関係を含む第５のマッピング関係情報を生成するステップと、前記端末装置が前記ネットワーク装置に前記第５のマッピング関係を送信するステップと、をさらに含む。
【００２２】
いくつかの可能な実施形態において、前記第１のインデックスは前記端末装置のアクセス層で決定された前記第１のサービスの第３のアドレスである。
【００２３】
いくつかの可能な実施形態において、前記方法は、
前記端末装置が前記ネットワーク装置に前記第１のインデックスを送信するステップをさらに含む。
【００２４】
第２の態様によれば、
ネットワーク装置が第１のインデックスを決定するステップと、
前記ネットワーク装置が前記端末装置から送信された、前記第１のインデックスと少なくとも１つの第１のキャリアとのマッピング関係を含む前記第３のマッピング関係情報を受信するステップと、
前記ネットワーク装置が前記第３のマッピング関係情報および前記第１のインデックスに基づいて、前記第１のインデックスに対応する前記少なくとも１つの第１のキャリアを決定するステップと、
前記ネットワーク装置が前記少なくとも１つの第１のキャリアに基づいて、端末装置にリソースを割り当てるステップと、を含むリソース割り当て方法を提供する。
【００２５】
いくつかの可能な実施形態において、前記ネットワーク装置が前記少なくとも１つの第１のキャリアに基づいて、端末装置にリソースを割り当てるステップは、
前記ネットワーク装置が前記第１のインデックスと第１のデータ量とのマッピング関係を含む第４のマッピング関係情報を取得するステップと、前記ネットワーク装置が前記少なくとも１つの第１のキャリアおよび前記第１のデータ量に基づいて、前記端末装置にリソースを割り当てるステップと、を含む。
【００２６】
いくつかの可能な実施形態において、前記第１のアドレスと前記第１のインデックスとは異なる。
【００２７】
いくつかの可能な実施形態において、前記第３のマッピング関係情報は前記第２のインデックスと少なくとも１つの第２のキャリアとのマッピング関係をさらに含み、前記第１のインデックスと前記第２のインデックスとは異なる。
【００２８】
いくつかの可能な実施形態において、前記第１のアドレスと前記第２のアドレスとは異なる。
【００２９】
いくつかの可能な実施形態において、前記第１のアドレスと前記第２のアドレスとは同じである。
【００３０】
いくつかの可能な実施形態において、前記第２のアドレスと前記第２のインデックスとは異なる。
【００３１】
いくつかの可能な実施形態において、前記第２のアドレスと前記第２のインデックスとは同じである。
【００３２】
いくつかの可能な実施形態において、前記ネットワーク装置が第１のインデックスを決定するステップは、
前記ネットワーク装置が前記端末装置から送信されたアドレスリストを受信するステップと、前記ネットワーク装置が前記アドレスリスト中の第１のアドレスの前記アドレスリストにおける順序を前記第１のインデックスとして決定するステップと、を含む。
【００３３】
いくつかの可能な実施形態において、前記アドレスリストは前記第２のアドレスをさらに含み、前記第２のアドレスの前記アドレスリストにおける順序は前記第２のアドレスに対応する第２のインデックスである。
【００３４】
いくつかの可能な実施形態において、前記ネットワーク装置が第１のインデックスを決定するステップは、
前記ネットワーク装置が前記端末装置から送信された前記第１のインデックスを受信するステップを含む。
【００３５】
いくつかの可能な実施形態において、前記第１のインデックスは前記端末装置のアクセス層で決定された第３のアドレスである。
【００３６】
いくつかの可能な実施形態において、前記方法は、
前記ネットワーク装置が前記端末装置から送信された、前記第１のアドレスと前記第１のインデックスとのマッピング関係を含む第５のマッピング関係情報を受信することにより、前記ネットワーク装置が前記第５のマッピング関係および前記第１のインデックスに基づいて前記第１のアドレスを決定するステップをさらに含む。
【００３７】
第３の態様によれば、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する第１のインデックスを決定し、
前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するために用いられる処理ユニットと、
ネットワーク装置に前記第３のマッピング関係情報を送信するために用いられる送受信ユニットと、を含む端末装置を提供する。
【００３８】
第４の態様によれば、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する第１のインデックスを決定し、
前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するために用いられるプロセッサと、
ネットワーク装置に前記第３のマッピング関係情報を送信するために用いられるトランシーバと、を含む端末装置を提供する。
【００３９】
第５の態様によれば、
第１のインデックスを決定するために用いられる処理ユニットと、
前記端末装置から送信された、前記第１のインデックスと少なくとも１つの第１のキャリアとのマッピング関係を含む前記第３のマッピング関係情報を受信するために用いられる送受信ユニットと、を含み、
前記処理ユニットは、さらに、
前記第３のマッピング関係情報および前記第１のインデックスに基づいて、前記第１のインデックスに対応する前記少なくとも１つの第１のキャリアを決定し、
前記少なくとも１つの第１のキャリアに基づいて、端末装置にリソースを割り当てるために用いられるネットワーク装置を提供する。
【００４０】
第６の態様によれば、
第１のインデックスを決定するために用いられるプロセッサと、
前記端末装置から送信された、前記第１のインデックスと少なくとも１つの第１のキャリアとのマッピング関係を含む前記第３のマッピング関係情報を受信するために用いられるトランシーバと、を含み、
前記プロセッサは、さらに、
前記第３のマッピング関係情報および前記第１のインデックスに基づいて、前記第１のインデックスに対応する前記少なくとも１つの第１のキャリアを決定し、
前記少なくとも１つの第１のキャリアに基づいて、端末装置にリソースを割り当てるために用いられるネットワーク装置を提供する。
【００４１】
第７の態様によれば、
端末装置が少なくとも１つのサービスと少なくとも１つのキャリアとのマッピング関係を取得するステップと、
前記端末装置が前記少なくとも１つのサービスのデータ量を取得するステップと、
前記端末装置が前記少なくとも１つのサービスと前記少なくとも１つのキャリアとのマッピング関係、前記少なくとも１つのサービスのデータ量に基づいて、前記少なくとも１つのキャリアのそれぞれ上のデータ量を決定するステップと、
前記端末装置が前記ネットワーク装置に前記各キャリア上のデータ量を指示するための指示情報を送信するステップと、を含む情報伝送方法を提供する。
【００４２】
第８の態様によれば、
ネットワーク装置が端末装置から送信された、前記各キャリア上のデータ量を指示するための指示情報を受信するステップと、
前記ネットワーク装置が前記指示情報に基づいて、前記端末装置にリソースを割り当てるステップと、を含む情報伝送方法を提供する。
【００４３】
第９の態様によれば、
少なくとも１つのサービスと少なくとも１つのキャリアとのマッピング関係を取得し、
前記少なくとも１つのサービスのデータ量を取得するために用いられる送受信ユニットと、
前記少なくとも１つのサービスと前記少なくとも１つのキャリアとのマッピング関係、前記少なくとも１つのサービスのデータ量に基づいて、前記少なくとも１つのキャリアのそれぞれ上のデータ量を決定するために用いられる処理ユニットと、を含み、
前記送受信ユニットは、さらに、前記ネットワーク装置に前記各キャリア上のデータ量を指示するための指示情報を送信するために用いられる端末装置を提供する。
【００４４】
第１０の態様によれば、
少なくとも１つのサービスと少なくとも１つのキャリアとのマッピング関係を取得し、
前記少なくとも１つのサービスのデータ量を取得するために用いられるトランシーバと、
前記少なくとも１つのサービスと前記少なくとも１つのキャリアとのマッピング関係、前記少なくとも１つのサービスのデータ量に基づいて、前記少なくとも１つのキャリアのそれぞれ上のデータ量を決定するために用いられるプロセッサと、を含み、
前記トランシーバは、更に前記ネットワーク装置に前記各キャリア上のデータ量を指示するための指示情報を送信するために用いられる端末装置を提供する。
【００４５】
第１１の態様によれば、
端末装置から送信された、前記各キャリア上のデータ量を指示するための指示情報を受信するために用いられる送受信ユニットと、
前記指示情報に基づいて、前記端末装置にリソースを割り当てるために用いられる処理ユニットと、を含むネットワーク装置を提供する。
【００４６】
第１２の態様によれば、
端末装置から送信された、前記各キャリア上のデータ量を指示するための指示情報を受信するために用いられるトランシーバと、
前記指示情報に基づいて、前記端末装置にリソースを割り当てるために用いられるプロセッサと、を含むネットワーク装置を提供する。
【００４７】
第１３の態様によれば、
端末装置が第１のサービスと第１のアドレスとのマッピング関係を含む第１のマッピング関係情報、および前記第１のサービスと少なくとも１つの第１のキャリアとのマッピング関係を含む第２のマッピング関係情報を取得するステップと、
前記端末装置が前記第１のサービスに対応する少なくとも１つの第１のインデックスを決定するステップと、
前記端末装置が前記第１のサービスの第１のデータ量を取得するステップと、
前記端末装置が前記第１のマッピング関係情報、前記第２のマッピング関係情報および前記少なくとも１つの第１のインデックスに基づいて、前記少なくとも１つの第１のインデックスと前記第１のデータ量とのマッピング関係を含む第４のマッピング関係情報を決定するステップと、
前記端末装置がネットワーク装置に前記第４のマッピング関係情報を送信するステップと、を含むことを特徴とする情報伝送方法を提供する。
【００４８】
第１４の態様によれば、
ネットワーク装置が少なくとも１つの第１のインデックスを決定するステップと、
前記ネットワーク装置が端末装置から送信された、前記少なくとも１つの第１のインデックスと第１のデータ量とのマッピング関係を含む第４のマッピング関係情報を受信するステップと、
前記ネットワーク装置が前記第１のデータ量に基づいて、前記端末装置にリソースを割り当てるステップと、を含むことを特徴とするリソース割り当て方法を提供する。
【００４９】
第１５の態様によれば、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する少なくとも１つの第１のインデックスを決定し、
前記第１のサービスの第１のデータ量を取得し、
前記第１のマッピング関係情報、前記第２のマッピング関係情報および前記少なくとも１つの第１のインデックスに基づいて、前記少なくとも１つの第１のインデックスと前記第１のデータ量とのマッピング関係を含む第４のマッピング関係情報を決定するために用いられる処理ユニットと、
ネットワーク装置に前記第４のマッピング関係情報を送信するために用いられる送受信ユニットと、を含むことを特徴とする端末装置を提供する。
【００５０】
第１６の態様によれば、
少なくとも１つの第１のインデックスを決定するために用いられるプロセッサと、
端末装置から送信された、前記少なくとも１つの第１のインデックスと第１のデータ量とのマッピング関係を含む第４のマッピング関係情報を受信するために用いられるトランシーバと、を含み、
前記プロセッサは、更に、前記第１のデータ量に基づいて、前記端末装置にリソースを割り当てるために用いられることを特徴とするネットワーク装置を提供する。
【００５１】
第１７の態様によれば、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する少なくとも１つの第１のインデックスを決定し、
前記第１のサービスの第１のデータ量を取得し、
前記第１のマッピング関係情報、前記第２のマッピング関係情報および前記少なくとも１つの第１のインデックスに基づいて、前記少なくとも１つの第１のインデックスと前記第１のデータ量とのマッピング関係を含む第４のマッピング関係情報を決定するために用いられるプロセッサと、
ネットワーク装置に前記第４のマッピング関係情報を送信するために用いられるトランシーバと、を含む端末装置を提供する。
【００５２】
第１８の態様によれば、
少なくとも１つの第１のインデックスを決定するために用いられるプロセッサと、
端末装置から送信された、前記少なくとも１つの第１のインデックスと第１のデータ量とのマッピング関係を含む第４のマッピング関係情報を受信するために用いられるトランシーバと、を含み、
前記プロセッサは、更に、前記第１のデータ量に基づいて、前記端末装置にリソースを割り当てるために用いられるネットワーク装置を提供する。
【００５３】
第１９の態様によれば、
上記方法例を実行するための命令を含むコンピュータプログラムを記憶するために用いられるコンピュータ可読媒体を提供する。
【００５４】
第２０の態様によれば、
入力インタフェースと、出力インタフェースと、少なくとも１つのプロセッサと、メモリと、を含み、前記プロセッサは、前記メモリ内のコードを実行するために用いられ、前記コードが実行される際に、前記プロセッサは、上記方法例におけるネットワーク装置により実行される各プロセスを実現できるコンピュータチップを提供する。
【００５５】
第２１の態様によれば、
入力インタフェースと、出力インタフェースと、少なくとも１つのプロセッサと、メモリと、を含み、前記プロセッサは、前記メモリ内のコードを実行するために用いられ、前記コードが実行される際に、前記プロセッサは、上記方法例における端末装置により実行される各プロセスを実現できるコンピュータチップを提供する。
【００５６】
第２２の態様によれば、前述したネットワーク装置および端末装置を含む通信システムを提供する。
【図面の簡単な説明】
【００５７】
【図１】本発明の実施例に係る伝送モードの概略ブロック図である。
【図２】本発明の実施例に係る別の伝送モードの概略ブロック図である。
【図３】本発明の実施例に係る端末装置とネットワーク装置との対話方法の概略フローチャートである。
【図４】本発明の実施例に係るデータ量の報告方法の概略フローチャートである。
【図５】本発明の実施例に係る端末装置の概略ブロック図である。
【図６】本発明の実施例に係る別の端末装置の概略ブロック図である。
【図７】本発明の実施例に係るネットワーク装置の概略ブロック図である。
【図８】本発明の実施例に係る別のネットワーク装置の概略ブロック図である。
【発明を実施するための形態】
【００５８】
以下、図面を参照しながら本発明の実施例における技術案を説明する。
【００５９】
本発明の実施例は、任意の端末装置から端末装置への通信フレームワークに適用できる。例えば、車車間通信（Ｖｅｈｉｃｌｅ  ｔｏ  Ｖｅｈｉｃｌｅ、Ｖ２Ｖ）、車とモノとの通信（Ｖｅｈｉｃｌｅ  ｔｏ  Ｅｖｅｒｙｔｈｉｎｇ、Ｖ２Ｘ）、端末間通信（Ｄｅｖｉｃｅ  ｔｏ  Ｄｅｖｉｃｅ、Ｄ２Ｄ）などが挙げられる。つまり、図２に示される車載端末から車載端末へのシステムフレームワークは本発明の実施例の一例にすぎず、本発明の実施例はこれに限定されない。
【００６０】
ただし、本発明の実施例における端末装置は、物理層およびメディアアクセス制御層を備える任意の装置または機器であってもよく、端末装置はアクセス端末と呼ばれることもある。例えば、ユーザ装置（Ｕｓｅｒ  Ｅｑｕｉｐｍｅｎｔ、ＵＥ）、加入者ユニット、加入者局、移動局、モバイルステーション、リモート局、遠隔端末、モバイル装置、ユーザ端末、端末、無線通信装置、ユーザエージェントまたはユーザ機器が挙げられる。アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有する手持ちデバイス、計算デバイスまたは無線モデムに接続された他の線形処理デバイス、車載デバイス、ウェアラブルデバイスなどであり得る。本発明の実施例は車載端末を例として説明するが、これに限定されるものではない。
【００６１】
本発明の実施例では、端末装置は、リソースプールを傍受する際に、従来の長い伝送時間間隔（ｌｏｎｇ  ＴＴＩ）のリソースプールに加えて、短い伝送時間間隔（ｓｈｏｒｔ  ＴＴＩ）のリソースプールを導入する。つまり、本発明の実施例の傍受方法によれば、端末装置がリソースを選択する必要がある場合に、ｓｈｏｒｔ  ＴＴＩのリソースプールとｌｏｎｇ  ＴＴＩのリソースプールの両方があれば、該端末装置はリソースプールを選択的に傍受することができる。
【００６２】
しかしながら、従来技術において、モード３では、１つの端末装置は１つのレイヤ２アドレスを有する複数のサービスをサポートでき、端末装置はネットワーク装置に各レイヤ２アドレスが少なくとも１つのキャリア（例えば、合計８つのキャリアがあり、サービス１がキャリア１、キャリア２およびキャリア３に対応し、サービス２がキャリア２、キャリア３およびキャリア４に対応する）に対応することを報告する。また、端末装置は、更に異なるレイヤ２アドレスに対応するデータ量をネットワーク装置に報告する。ネットワーク装置は、端末装置から報告されたレイヤ２アドレスに対応する少なくとも１つのキャリアおよびデータ量に基づいて、端末装置にＤ２Ｄ伝送用のリソースを割り当てる。
【００６３】
ただし、複数の異なるサービスに同じアドレスを割り当てることがあり、この場合には、ネットワーク装置は、これらのアドレスを明確に区別できず、さらに端末装置にリソースを割り当てることができない。
【００６４】
上記問題を解決するために、本発明の実施例は、ネットワーク装置が端末装置にリソースを正確に割り当てることを可能にする情報伝送方法を提供する。
【００６５】
具体的には、図３に示すように、該方法は、
端末装置が第１のマッピング関係情報および第２のマッピング関係情報を取得する２１０と、
該端末装置が第１のインデックスを決定する２２０と、
該端末装置が該第１のマッピング関係情報、該第２のマッピング関係情報および該第１のインデックスに基づいて、第３のマッピング関係情報を決定する２３０と、
該端末装置がネットワーク装置に該第３のマッピング関係情報を送信する２４０と、
該ネットワーク装置が該第１のインデックスに対応する上記少なくとも１つの第１のキャリアを決定する２５０と、
該ネットワーク装置が上記少なくとも１つの第１のキャリアに基づいて、端末装置にリソースを割り当てる２６０と、を含む。
【００６６】
ただし、該第１のマッピング関係情報は第１のサービスと第１のアドレスとのマッピング関係を含み、該第２のマッピング関係情報は該第１のサービスと少なくとも１つの第１のキャリアとのマッピング関係を含む。
【００６７】
具体的には、該端末装置が該第１のサービスに対応する第１のインデックスを決定し、該端末装置が該第１のマッピング関係情報、該第２のマッピング関係情報および該第１のインデックスに基づいて、該第１のインデックスと上記少なくとも１つの第１のキャリアとのマッピング関係を含む第３のマッピング関係情報を決定し、該端末装置がネットワーク装置に該第３のマッピング関係情報を送信する。
【００６８】
これにより、ネットワーク装置が第１のインデックスを決定した後、該ネットワーク装置は該端末装置から送信された、該第１のインデックスと少なくとも１つの第１のキャリアとのマッピング関係を含む該第３のマッピング関係情報を受信する。該ネットワーク装置は該第３のマッピング関係情報および該第１のインデックスに基づいて、該第１のインデックスに対応する上記少なくとも１つの第１のキャリアを決定する。該ネットワーク装置は上記少なくとも１つの第１のキャリアに基づいて、端末装置にリソースを割り当てる。
【００６９】
以上より、本発明の実施例では、端末装置は、サービスのアドレスを変換し、具体的には、第１のアドレスに対応する少なくとも１つの第１のキャリアを第１のインデックスに対応する少なくとも１つの第１のキャリアに変換することが分けられる。かつ、ネットワーク装置が第１のインデックスに基づいて第１のアドレスに対応する少なくとも１つの第１のキャリアを決定するように、変換後のマッピング関係をネットワーク装置に報告する。
【００７０】
さらに、該端末装置がさらに該第１のサービスの第１のデータ量を取得することができる。該端末装置が該第１のマッピング関係情報、該第２のマッピング関係情報および該第１のインデックスに基づいて、該第１のインデックスと該第１のデータ量とのマッピング関係を含む第４のマッピング関係情報を決定する。該端末装置が該ネットワーク装置に該第４のマッピング関係情報を送信する。
【００７１】
これにより、該ネットワーク装置は第４のマッピング関係情報を取得した後、上記少なくとも１つの第１のキャリアおよび該第１のデータ量に基づいて、該端末装置にリソースを割り当てることができる。
【００７２】
本発明の実施例では、該第１のアドレスと該第１のインデックスとが異なっていても、同じであってもよいことを理解されたい。本発明の実施例は、特に限定しない。具体的には、該第１のアドレスと該第１のインデックスとが同じであることは、端末装置が該第１のアドレスを該第１のインデックスとして直接決定することを意味する。該第１のアドレスと該第１のインデックスとが異なっていてもよいことは、端末装置により決定された第１のインデックスが該第１のアドレスとは異なることを意味する。
【００７３】
選択的に、該第１のマッピング関係情報は、第２のサービスと第２のアドレスとのマッピング関係をさらに含み、該第２のマッピング関係情報は、該第２のサービスと少なくとも１つの第２のキャリアとのマッピング関係をさらに含む。
【００７４】
本発明の実施例では、該端末装置が該第２のサービスに対応する、該第１のインデックスと異なる第２のインデックスを決定する。該端末装置が該第１のマッピング関係情報、該第２のマッピング関係情報および該第２のインデックスに基づいて、該第２のインデックスと上記少なくとも１つの第２のキャリアとのマッピング関係をさらに含む該第３のマッピング関係情報を決定する。
【００７５】
以上より、本発明の実施例は第１のマッピング関係および第２のマッピング関係を第３のマッピング関係および第４のマッピング関係に変換し、かつネットワーク装置に報告することが分けられる。したがって、該第１のアドレスと該第２のアドレスとが同じである場合（すなわちアドレスが衝突する場合）、端末装置は衝突する第１のアドレスおよび第２のアドレスに対して異なるインデックスに対応させ、さらにネットワーク装置が衝突アドレスを明確に区別できないことを回避し、ひいては端末装置にリソースを正確に割り当てることができる。
【００７６】
本発明の実施例の方法は、衝突が発生するアドレスのみに使用され得ることを理解されたい。すなわち、該第１のアドレスと該第２のアドレスとは同じである。しかし、本発明の実施例はこれに限定されるものではない。
【００７７】
例えば、本発明の実施例の方法は、衝突が発生しないアドレスに使用され得る。すなわち、該第１のアドレスと該第２のアドレスとは異なる。この場合には、端末装置は、サービスのアドレスの衝突の有無に関わらず、報告するマッピング関係を前述した第１のマッピング関係から前述した第３のマッピング関係および第４のマッピング関係に変換する。
【００７８】
また、本発明の実施例では、該第２のアドレスと該第２のインデックスとが同じであっても異なっていてもよく、すなわち、端末装置は該第２のアドレスを該第２のインデックスとして直接決定できることを理解されたい。端末装置により決定された第２のインデックスは該第２のアドレスと異なっていてもよい。
【００７９】
言い換えれば、本発明の実施例では、該端末装置は該第２のインデックスを決定する必要がある。
【００８０】
なお、端末装置は該第１のインデックスおよび該第２のインデックスを決定してもよいし、該端末装置は該第１のインデックスのみを決定してもよい。つまり、該第１のサービスに対して、端末装置は前述した第１のマッピング関係および前述した第２のマッピング関係を第３のマッピング関係および第４のマッピング関係に変換してネットワーク装置に報告する。一方では、第２のサービスに対して、端末装置はネットワーク装置に該第１のマッピング関係および該第２のマッピング関係を直接報告することができる。
【００８１】
以下、本発明の実施例における、端末装置がネットワーク装置に前述した第３のマッピング関係および第４のマッピング関係を報告した後、端末装置が情報を報告することについて例示的に説明する。
【００８２】
一実施例では、該端末装置が該第１のアドレスを含むアドレスリストを生成する。該端末装置が該第１のアドレスの該アドレスリストにおける順序を該第１のアドレスに対応する第１のインデックスとして決定する。
【００８３】
さらに、該アドレスリストは上述した第２のアドレスを含んでもよく、該第２のアドレスの該アドレスリストにおける順序は第２のサービスに対応する第２のインデックスである。
【００８４】
この場合には、該端末装置は該ネットワーク装置に該アドレスリストを送信してもよい。該ネットワーク装置は該端末装置から送信されたアドレスリストを受信する。かつ該アドレスリスト中の第１のアドレスの該アドレスリストにおける順序を該第１のインデックスとして決定する。さらに、該第１のインデックス、前述した第３のマッピング関係情報および第４のマッピング関係情報に基づいて、端末装置にリソースを割り当てる。
【００８５】
なお、本発明の実施例では、端末装置は、アドレスリストの形でネットワーク装置に送信してもよいし、アドレスリストにおける順序で順次ネットワーク装置に送信してもよく、本発明の実施例は、特に限定しない。
【００８６】
別の実施例では、該端末装置は該第１のアドレスに対応するインデックスを該第１のインデックスとして決定できる。言い換えれば、該端末装置は、該第１のアドレスと該第１のインデックスとのマッピング関係を含む第５のマッピング関係情報を直接生成できる。これにより、ネットワーク装置は端末装置から送信された第１のインデックスを受信した後、該第１のインデックスおよび前述した第３のマッピング関係に基づいて、該第１のインデックスに対応する少なくとも１つの第１のキャリアを直接決定してもよいし、該第１のインデックスおよび前述した第４のマッピング関係に基づいて、該第１のインデックスに対応する第１のデータ量を直接決定してもよく、さらに該当する少なくとも１つの第１のキャリアおよび該第１のデータ量に基づいて、端末装置にリソースを割り当てる。
【００８７】
本発明の実施例では、さらに、該第５のマッピング関係情報をネットワーク装置に報告し、これにより、ネットワーク装置が具体的なアドレスを知る必要がある場合、該第５のマッピング関係情報および該第１のインデックスに基づいて、該第１のインデックスに対応する該第１のアドレスを直接決定できる。
【００８８】
別の実施例では、該第１のインデックスは該端末装置のアクセス層で決定された該第１のサービスの第３のアドレスである。
【００８９】
この場合には、該端末装置は該ネットワーク装置に該第１のインデックスを直接送信できる。
【００９０】
該ネットワーク装置は、該端末装置から送信された該第１のインデックスを受信し、かつ該第１のインデックス、前述した第３のマッピング関係情報および第４のマッピング関係情報に基づいて、端末装置にリソースを割り当てる。
【００９１】
上述した端末装置がネットワーク装置に第３のマッピング関係および第４のマッピング関係を報告することは一例にすぎず、他の実施例では、該端末装置は該ネットワーク装置に第３のマッピング関係または第４のマッピング関係を報告してもよく、かつ他の報告情報と組み合わせて、ネットワーク装置が端末装置にリソースを割り当てるという目的を実現すると理解すべきである。
【００９２】
以下、端末装置がネットワーク装置に第４のマッピング関係を報告することを例として説明する。
【００９３】
一選択可能な実施例では、該端末装置が第１のサービスと第１のアドレスとのマッピング関係を含む第１のマッピング関係情報、および該第１のサービスと少なくとも１つの第１のキャリアとのマッピング関係を含む第２のマッピング関係情報を取得し、該端末装置が該第１のサービスに対応する少なくとも１つの第１のインデックスを決定し、該端末装置が該第１のサービスの第１のデータ量を取得し、該端末装置が該第１のマッピング関係情報、該第２のマッピング関係情報および該少なくとも１つの第１のインデックスに基づいて、該少なくとも１つの第１のインデックスと該第１のデータ量とのマッピング関係を含む第４のマッピング関係情報を決定し、該端末装置がネットワーク装置に該第４のマッピング関係情報を送信する。さらに、該端末装置が該第１のマッピング関係情報および該第２のマッピング関係情報に基づいて、該第１のアドレスに対応する上記少なくとも１つの第１のキャリアを含む第１のリストを決定し、該端末装置が該ネットワーク装置に該第１のリストを送信する。以上より、本発明の実施例では、端末装置は、サービスのアドレスを変換し、具体的には、ネットワーク装置が少なくとも１つの第１のインデックスに基づいて少なくとも１つの第１のインデックスに対応する第１のデータ量および第１のアドレスに対応する上記少なくとも１つの第１のキャリアを決定できるように、第１のマッピング関係および第２のマッピング関係を第４のマッピング関係および第１のリストに変換してネットワーク装置に報告する。
【００９４】
本発明の実施例では、該第１のアドレスと該少なくとも１つの第１のインデックスとが異なっていても、同じであってもよいことを理解されたい。本発明の実施例は、特に限定しない。具体的には、該第１のアドレスと該少なくとも１つの第１のインデックスとが同じであることは、上記少なくとも１つの第１のインデックスが１つの第１のインデックスのみを含むとき、端末装置が該第１のアドレスを該少なくとも１つの第１のインデックスとして直接決定することを意味する。該第１のアドレスと該少なくとも１つの第１のインデックスとが異なっていてもよいことは、端末装置により決定された少なくとも１つの第１のインデックスのそれぞれが該第１のアドレスとは異なることを意味する。
【００９５】
選択的に、該第１のマッピング関係情報は、第２のサービスと第２のアドレスとのマッピング関係をさらに含み、該第２のマッピング関係情報は、該第２のサービスと少なくとも１つの第２のキャリアとのマッピング関係をさらに含む。本発明の実施例では、該端末装置が該第２のサービスに対応する少なくとも１つの第２のインデックスを決定し、該少なくとも１つの第１のインデックスのそれぞれと該少なくとも１つの第２のインデックスのそれぞれとが異なり、該端末装置が該第２のサービスの第２のデータ量を取得し、該端末装置が該第１のマッピング関係情報、該第２のマッピング関係情報および該少なくとも１つの第２のインデックスに基づいて、該少なくとも１つの第２のインデックスと該第２のデータ量とのマッピング関係をさらに含む該第４のマッピング関係情報を決定する。また理解されるように、本発明の実施例では、上記少なくとも１つの第２のインデックスが１つの第２のインデックスのみを含むとき、該第２のアドレスと該少なくとも１つの第２のインデックスとは同じであってもよく、該第２のアドレスは上記少なくとも１つの第２のインデックスのそれぞれと異なっていてもよく、すなわち、端末装置は該第２のアドレスを該少なくとも１つの第２のインデックスとして直接決定できる。端末装置により決定された少なくとも１つの第２のインデックスのそれぞれは該第２のアドレスと異なっていてもよい。
【００９６】
該端末装置が該ネットワーク装置に第４のマッピング関係および第１のリストを報告することで、ネットワーク装置が端末装置にリソースを割り当てることを可能にする。具体的には、ネットワーク装置が少なくとも１つの第１のインデックスに基づいて少なくとも１つの第１のインデックスに対応する第１のデータ量、および第１のアドレスに対応する上記少なくとも１つの第１のキャリアを決定できるようにする。したがって、本発明の実施例では、ネットワーク装置が少なくとも１つの第１のインデックスに対応する第１のデータ量と第１のアドレスに対応する少なくとも１つの第１のキャリアを正確に関連付け、さらに端末装置にリソースを割り当てることができるように、該少なくとも１つの第１のインデックスと該第１のアドレスとの間に一定の関係がある必要がある。
【００９７】
一選択可能な実施例では、該端末装置が該第１のアドレスを含むアドレスリストを生成し、該端末装置が該第１のアドレスの該アドレスリストにおける順序に従って、該少なくとも１つの第１のインデックスを決定する。例えば、該端末装置が該第１のアドレスの該アドレスリストにおける順序に従って、１つのインデックスを決定し、かつ該１つのインデックスを該少なくとも１つの第１のインデックスとして決定する。また例えば、該端末装置が該第１のアドレスの該アドレスリストにおける順序に従って、該アドレスリストにおける各アドレスに対応するキャリアを含むキャリアリストを決定し、該端末装置が該キャリアリストにおける該少なくとも１つの第１のキャリアのそれぞれの順序に従って、少なくとも１つのインデックスを決定し、かつ該少なくとも１つのインデックスを該少なくとも１つの第１のインデックスとして決定する。さらに、本発明の実施例では、該端末装置が該ネットワーク装置に該アドレスリストを送信する。なお、本発明の実施例では、端末装置は、アドレスリストの形でネットワーク装置に送信してもよいし、アドレスリストにおける順序で順次ネットワーク装置に送信してもよく、本発明の実施例は、特に限定しない。
【００９８】
別の実施例では、該端末装置は該ネットワーク装置に該少なくとも１つの第１のインデックスを直接送信できる。
【００９９】
該端末装置は、該第１のアドレスに対応するインデックスを該少なくとも１つの第１のインデックスとして決定できる。言い換えれば、該端末装置は、該第１のアドレスと該少なくとも１つの第１のインデックスとのマッピング関係を含む第５のマッピング関係情報を直接生成できる。これにより、ネットワーク装置が端末装置から送信された少なくとも１つの第１のインデックスを受信した後、該少なくとも１つの第１のインデックスおよび第５のマッピング関係に基づいて、第１のアドレスを決定し、さらに第１のアドレスに対応する少なくとも１つの第１のキャリアである第１のリストを決定できる。言い換えれば、本発明の実施例では、端末装置が該第５のマッピング関係情報をネットワーク装置に報告する必要があり、これにより、ネットワーク装置が具体的なアドレスを知る必要がある場合、該第５のマッピング関係情報および該少なくとも１つの第１のインデックスに基づいて、該少なくとも１つの第１のインデックスに対応する該第１のアドレスを直接決定できる。
【０１００】
別の実施例では、該少なくとも１つの第１のインデックスが１つの第１のインデックスのみを含むとき、該１つの第１のインデックスは該端末装置のアクセス層で決定された該第１のサービスの第３のアドレスであってもよい。この場合には、ネットワーク装置は該第３のアドレスに基づいて少なくとも１つの第１のインデックスに対応する第１のアドレスを直接決定できる。
【０１０１】
理解されるように、本発明の実施例では、端末装置がネットワーク装置に情報を送信し、端末装置が少なくとも１つの第１のインデックスを決定し、端末装置が少なくとも１つの第１のインデックスに対応する第１のデータ量を決定し、且つ端末装置が少なくとも１つの第１のインデックスに対応する少なくとも１つの第１のキャリアを決定する実現形態は、ネットワーク装置が端末装置から送信された情報を受信し、ネットワーク装置が少なくとも１つの第１のインデックスを決定し、ネットワーク装置が少なくとも１つの第１のインデックスに対応する第１のデータ量を決定し、且つネットワーク装置が少なくとも１つの第１のインデックスに対応する少なくとも１つの第１のキャリアを決定する実現形態と類似し、重複を避けるために、ここでは説明を省略する。
【０１０２】
図４は、本発明の実施例に係る別の端末装置とネットワーク装置との対話方法の概略図である。
【０１０３】
具体的には、図４に示すように、該方法は、
端末装置が少なくとも１つのサービスと少なくとも１つのキャリアとのマッピング関係を取得する３１０と、
該端末装置が上記少なくとも１つのサービスのデータ量を取得する３２０と、
該端末装置が上記少なくとも１つのサービスと上記少なくとも１つのキャリアとのマッピング関係、上記少なくとも１つのサービスのデータ量に基づいて、上記少なくとも１つのキャリアのそれぞれ上のデータ量を決定する３３０と、
該端末装置がネットワーク装置に指示情報を送信する３４０と、
該ネットワーク装置が該指示情報に基づいて該端末装置にリソースを割り当てる３５０と、を含む。
【０１０４】
ただし、該指示情報は、上記各キャリア上のデータ量を指示するために用いられる。
【０１０５】
以上より、ネットワーク装置が指示情報に基づいて各キャリア上のデータ量を直接決定でき、さらに端末装置にリソースを割り当て、アドレスマッピングの手段でネットワーク装置に各アドレスに対応するキャリアおよびデータ量を指示することを直接回避できることが分けられる。さらに、アドレスが衝突する事態を回避できる。
【０１０６】
図５は、本発明の実施例に係る端末装置の概略ブロック図である。
【０１０７】
具体的には、図５に示すように、該端末装置４００は、
第１のサービスと第１のアドレスとのマッピング関係を含む第１のマッピング関係情報、および該第１のサービスと少なくとも１つの第１のキャリアとのマッピング関係を含む第２のマッピング関係情報を取得し、
該第１のサービスに対応する第１のインデックスを決定し、
該第１のマッピング関係情報、該第２のマッピング関係情報および該第１のインデックスに基づいて、該第１のインデックスと上記少なくとも１つの第１のキャリアとのマッピング関係を含む第３のマッピング関係情報を決定するために用いられる処理ユニット４１０と、
ネットワーク装置に該第３のマッピング関係情報を送信するために用いられる送受信ユニット４２０と、を含む。
【０１０８】
選択的に、該処理ユニット４１０は、さらに、
該第１のサービスの第１のデータ量を取得し、該第１のマッピング関係情報、該第２のマッピング関係情報および該第１のインデックスに基づいて、該第１のインデックスと該第１のデータ量とのマッピング関係を含む第４のマッピング関係情報を決定するために用いられ、該送受信ユニット４２０は、さらに、
該ネットワーク装置に該第４のマッピング関係情報を送信するために用いられる。
【０１０９】
選択的に、該第１のアドレスと該第１のインデックスとは異なる。
【０１１０】
選択的に、該第１のマッピング関係情報は、第２のサービスと第２のアドレスとのマッピング関係をさらに含み、該第２のマッピング関係情報は、該第２のサービスと少なくとも１つの第２のキャリアとのマッピング関係をさらに含み、
該処理ユニット４１０は、さらに、
該第２のサービスに対応する、該第１のインデックスと異なる第２のインデックスを決定し、該第１のマッピング関係情報、該第２のマッピング関係情報および該第２のインデックスに基づいて、該第２のインデックスと上記少なくとも１つの第２のキャリアとのマッピング関係をさらに含む該第３のマッピング関係情報を決定するために用いられる。
【０１１１】
選択的に、該第１のアドレスと該第２のアドレスとは異なる。
【０１１２】
選択的に、該第１のアドレスと該第２のアドレスとは同じである。
【０１１３】
選択的に、該第２のアドレスと該第２のインデックスとは異なる。
【０１１４】
選択的に、該第２のアドレスと該第２のインデックスとは同じである。
【０１１５】
選択的に、該処理ユニット４１０は、具体的には、
該第１のアドレスを含むアドレスリストを生成し、第１のアドレスの該アドレスリストにおける順序を該第１のインデックスとして決定するために用いられる。
【０１１６】
選択的に、該アドレスリストは該第２のアドレスを含み、該第２のアドレスの該アドレスリストにおける順序は第２のサービスに対応する第２のインデックスである。
【０１１７】
選択的に、該送受信ユニット４２０は、さらに、該ネットワーク装置に該アドレスリストを送信するために用いられる。
【０１１８】
該処理ユニット４１０は、具体的には、
該第１のアドレスに対応するインデックスを該第１のインデックスとして決定するために用いられる。
【０１１９】
選択的に、該処理ユニット４１０は、さらに、該第１のアドレスと該第１のインデックスとのマッピング関係を含む第５のマッピング関係情報を生成するために用いられ、該送受信ユニット４２０は、該ネットワーク装置に該第５のマッピング関係を送信するために用いられる。
【０１２０】
選択的に、該第１のインデックスは該端末装置のアクセス層で決定された該第１のサービスの第３のアドレスである。
【０１２１】
選択的に、該送受信ユニット４２０は、さらに、該ネットワーク装置に該第１のインデックスを送信するために用いられる。
【０１２２】
なお、処理ユニット４１０はプロセッサにより実現されてもよく、送受信ユニット４２０はトランシーバにより実現されてもよい。図６に示すように、端末装置５００は、プロセッサ５１０、トランシーバ５２０、およびメモリ５３０を含み得る。ただし、メモリ５３０は、指示情報を記憶するために使用されてもよく、プロセッサ５１０が実行するコード、命令などを記憶するために使用されてもよい。端末装置５００内の各構成要素は、データバスの他に、電源バス、制御バスおよびステータス信号バスをさらに含むバスシステムにより接続されている。
【０１２３】
図６に示される端末装置５００は前述した図３および図４に示される方法例における端末装置により実現される各プロセスを実現でき、重複を避けるために、ここでは説明を省略する。
【０１２４】
図７は、本発明の実施例に係るネットワーク装置の概略ブロック図である。
【０１２５】
具体的には、図７に示すように、該ネットワーク装置６００は、
該第１のインデックスを決定するために用いられる処理ユニット６１０と、
該端末装置から送信された、該第１のインデックスと少なくとも１つの第１のキャリアとのマッピング関係を含む該第３のマッピング関係情報を受信するために用いられる送受信ユニット６２０と、を含み、
該処理ユニット６１０は、さらに、
該第３のマッピング関係情報および該第１のインデックスに基づいて、該第１のインデックスに対応する上記少なくとも１つの第１のキャリアを決定し、上記少なくとも１つの第１のキャリアに基づいて、端末装置にリソースを割り当てるために用いられる。
【０１２６】
選択的に、該処理ユニット６１０は、具体的には、
該第１のインデックスと第１のデータ量とのマッピング関係を含む第４のマッピング関係情報を取得し、上記少なくとも１つの第１のキャリアおよび該第１のデータ量に基づいて、該端末装置にリソースを割り当てるために用いられる。
【０１２７】
選択的に、該第１のアドレスと該第１のインデックスとは異なる。
【０１２８】
選択的に、該第３のマッピング関係情報は該第２のインデックスと少なくとも１つの第２のキャリアとのマッピング関係をさらに含み、該第１のインデックスと該第２のインデックスとは異なる。
【０１２９】
選択的に、該第１のアドレスと該第２のアドレスとは異なる。
【０１３０】
選択的に、該第１のアドレスと該第２のアドレスとは同じである。
【０１３１】
選択的に、該第２のアドレスと該第２のインデックスとは異なる。
【０１３２】
選択的に、該第２のアドレスと該第２のインデックスとは同じである。
【０１３３】
選択的に、該処理ユニット６１０は、具体的には、
該端末装置から送信されたアドレスリストを受信し、該アドレスリスト中の第１のアドレスの該アドレスリストにおける順序を該第１のインデックスとして決定するために用いられる。
【０１３４】
選択的に、該アドレスリストは該第２のアドレスをさらに含み、該第２のアドレスの該アドレスリストにおける順序は該第２のアドレスに対応する第２のインデックスである。
【０１３５】
選択的に、該送受信ユニット６２０は、さらに、該端末装置から送信された該第１のインデックスを受信するために用いられる。
【０１３６】
選択的に、該第１のインデックスは該端末装置のアクセス層で決定された第３のアドレスである。
【０１３７】
該送受信ユニット６２０は、さらに、
該端末装置から送信された、該第１のアドレスと該第１のインデックスとのマッピング関係を含む第５のマッピング関係情報を受信することにより、該ネットワーク装置が該第５のマッピング関係および該第１のインデックスに基づいて該第１のアドレスを決定するために用いられる。
【０１３８】
なお、処理ユニット６１０はプロセッサにより実現されてもよく、送受信ユニット６２０はトランシーバにより実現されてもよい。図８に示すように、端末装置７００は、プロセッサ７１０、トランシーバ７２０、およびメモリ７３０を含み得る。ただし、メモリ７３０は、指示情報を記憶するために使用されてもよく、プロセッサ７１０が実行するコード、命令などを記憶するために使用されてもよい。端末装置７００内の各構成要素は、データバスの他に、電源バス、制御バスおよびステータス信号バスをさらに含むバスシステムにより接続されている。
【０１３９】
図８に示される端末装置７００は前述した図３および図４に示される方法例における端末装置により実現される各プロセスを実現でき、重複を避けるために、ここでは説明を省略する。
【０１４０】
本発明の実施例では、端末装置およびネットワーク装置をさらに提供する。
【０１４１】
具体的には、該端末装置は、
第１のサービスと第１のアドレスとのマッピング関係を含む第１のマッピング関係情報、および該第１のサービスと少なくとも１つの第１のキャリアとのマッピング関係を含む第２のマッピング関係情報を取得し、該第１のサービスに対応する少なくとも１つの第１のインデックスを決定し、該第１のサービスの第１のデータ量を取得し、該第１のマッピング関係情報、該第２のマッピング関係情報および該少なくとも１つの第１のインデックスに基づいて、該少なくとも１つの第１のインデックスと該第１のデータ量とのマッピング関係を含む第４のマッピング関係情報を決定するために用いられる処理ユニットと、
ネットワーク装置に該第４のマッピング関係情報を送信するために用いられる送受信ユニットと、を含む。
【０１４２】
選択的に、該処理ユニットは、さらに、
該第１のマッピング関係情報および該第２のマッピング関係情報に基づいて、該第１のアドレスに対応する上記少なくとも１つの第１のキャリアを含む第１のリストを決定するために用いられ、該送受信ユニットは、さらに、該ネットワーク装置に該第１のリストを送信するために用いられる。
【０１４３】
選択的に、該第１のアドレスと該少なくとも１つの第１のインデックスのそれぞれとは異なる。
【０１４４】
選択的に、該第１のマッピング関係情報は、第２のサービスと第２のアドレスとのマッピング関係をさらに含み、該第２のマッピング関係情報は、該第２のサービスと少なくとも１つの第２のキャリアとのマッピング関係をさらに含み、該処理ユニットは、さらに、
該第２のサービスに対応する少なくとも１つの第２のインデックスを決定し、該少なくとも１つの第１のインデックスのそれぞれと該少なくとも１つの第２のインデックスのそれぞれとが異なり、該第２のサービスの第２のデータ量を取得し、該第１のマッピング関係情報、該第２のマッピング関係情報および該少なくとも１つの第２のインデックスに基づいて、該少なくとも１つの第２のインデックスと該第２のデータ量とのマッピング関係をさらに含む該第４のマッピング関係情報を決定するために用いられる。
【０１４５】
選択的に、該第１のアドレスと該第２のアドレスとは異なる。
【０１４６】
選択的に、該第１のアドレスと該第２のアドレスとは同じである。
【０１４７】
選択的に、該第２のアドレスと該少なくとも１つの第２のインデックスのそれぞれとは異なる。
【０１４８】
選択的に、上記少なくとも１つの第２のインデックスは１つの第２のインデックスのみを含み、該第２のアドレスと該１つの第２のインデックスとは同じである。
【０１４９】
選択的に、該処理ユニットは、具体的には、該第１のアドレスを含むアドレスリストを生成し、該第１のアドレスの該アドレスリストにおける順序に従って、該少なくとも１つの第１のインデックスを決定するために用いられる。
【０１５０】
選択的に、該処理ユニットは、より具体的には、該第１のアドレスの該アドレスリストにおける順序に従って、１つのインデックスを決定し、かつ該１つのインデックスを該少なくとも１つの第１のインデックスとして決定するために用いられる。
【０１５１】
選択的に、該第１のアドレスは少なくとも１つの第１のキャリアに対応し、該処理ユニットは、より具体的には、該第１のアドレスの該アドレスリストにおける順序に従って、該アドレスリストにおける各アドレスに対応するキャリアを含むキャリアリストを決定し、該キャリアリストにおける該少なくとも１つの第１のキャリアのそれぞれの順序に従って、少なくとも１つのインデックスを決定し、かつ該少なくとも１つのインデックスを該少なくとも１つの第１のインデックスとして決定するために用いられる。
【０１５２】
選択的に、該送受信ユニットは、さらに、該ネットワーク装置に該アドレスリストを送信するために用いられる。
【０１５３】
選択的に、該処理ユニットは、具体的には、該第１のアドレスに対応するインデックスを該少なくとも１つの第１のインデックスとして決定するために用いられる。
【０１５４】
選択的に、該処理ユニットは、より具体的には、
該第１のアドレスと該少なくとも１つの第１のインデックスとのマッピング関係を含む第５のマッピング関係情報を生成するために用いられ、該送受信ユニットは、さらに該ネットワーク装置に該第５のマッピング関係を送信するために用いられる。
【０１５５】
選択的に、該少なくとも１つの第１のインデックスは１つの第１のインデックスのみを含み、該１つの第１のインデックスは該端末装置のアクセス層で決定された該第１のサービスの第３のアドレスである。
【０１５６】
選択的に、該端末装置は、該端末装置が該ネットワーク装置に該少なくとも１つの第１のインデックスを送信するステップをさらに含む。
【０１５７】
それに対応して、該ネットワーク装置は、
少なくとも１つの第１のインデックスを決定するために用いられる処理ユニットと、
端末装置から送信された、該少なくとも１つの第１のインデックスと第１のデータ量とのマッピング関係を含む第４のマッピング関係情報を受信するために用いられる送受信ユニットと、を含み、該処理ユニットは、さらに、該第１のデータ量に基づいて、該端末装置にリソースを割り当てるために用いられる。
【０１５８】
選択的に、該送受信ユニットは、さらに、該端末装置から送信された、第１のアドレスに対応する少なくとも１つの第１のキャリアを含む第１のリストを受信するために用いられ、該処理ユニットは、具体的には、
上記少なくとも１つの第１のキャリアおよび該第１のデータ量に基づいて、該端末装置にリソースを割り当てるために用いられる。
【０１５９】
選択的に、該第１のアドレスと該少なくとも１つの第１のインデックスのそれぞれとは異なる。
【０１６０】
選択的に、該第４のマッピング関係情報は少なくとも１つの第２のインデックスと第２のデータ量とのマッピング関係をさらに含み、該少なくとも１つの第１のインデックスのそれぞれと該少なくとも１つの第２のインデックスのそれぞれとは異なる。
【０１６１】
選択的に、該第１のアドレスと該第２のアドレスとは異なる。
【０１６２】
選択的に、該第１のアドレスと該第２のアドレスとは同じである。
【０１６３】
選択的に、該第２のアドレスと該少なくとも１つの第２のインデックスのそれぞれとは異なる。
【０１６４】
選択的に、上記少なくとも１つの第２のインデックスは１つの第２のインデックスのみを含み、該第２のアドレスと該１つの第２のインデックスとは同じである。
【０１６５】
選択的に、該送受信ユニットは、具体的には、該端末装置から送信されたアドレスリストを受信するために用いられ、該処理ユニットは、具体的には、該アドレスリスト中の第１のアドレスの該アドレスリストにおける順序に従って、該少なくとも１つの第１のインデックスを決定するために用いられる。
【０１６６】
選択的に、該処理ユニットは、より具体的には、該第１のアドレスの該アドレスリストにおける順序に従って、１つのインデックスを決定し、かつ該１つのインデックスを該少なくとも１つの第１のインデックスとして決定するために用いられる。
【０１６７】
選択的に、該第１のアドレスは少なくとも１つの第１のキャリアに対応し、該処理ユニットは、より具体的には、
該第１のアドレスの該アドレスリストにおける順序に従って、該アドレスリストにおける各アドレスに対応するキャリアを含むキャリアリストを決定し、該キャリアリストにおける該少なくとも１つの第１のキャリアのそれぞれの順序に従って、少なくとも１つのインデックスを決定し、かつ該少なくとも１つのインデックスを該少なくとも１つの第１のインデックスとして決定するために用いられる。
【０１６８】
選択的に、該処理ユニットは、具体的には、該端末装置から送信された該少なくとも１つの第１のインデックスを受信するために用いられる。
【０１６９】
選択的に、該少なくとも１つの第１のインデックスは１つの第１のインデックスのみを含み、該１つの第１のインデックスは該端末装置のアクセス層で決定された第３のアドレスである。
【０１７０】
選択的に、該送受信ユニットは、さらに、
該端末装置から送信された、該第１のアドレスと該少なくとも１つの第１のインデックスとのマッピング関係を含む第５のマッピング関係情報を受信することにより、該処理ユニットが該第５のマッピング関係および該少なくとも１つの第１のインデックスに基づいて、該第１のアドレスを決定するために用いられる。
【０１７１】
本発明の実施例では、端末装置およびネットワーク装置をさらに提供する。
【０１７２】
具体的には、該端末装置は、
少なくとも１つのサービスと少なくとも１つのキャリアとのマッピング関係を取得し、上記少なくとも１つのサービスのデータ量を取得するために用いられる送受信ユニットと、上記少なくとも１つのサービスと上記少なくとも１つのキャリアとのマッピング関係、上記少なくとも１つのサービスのデータ量に基づいて、上記少なくとも１つのキャリアのそれぞれ上のデータ量を取得するために用いられる処理ユニットと、を含み、該送受信ユニットはさらに、該ネットワーク装置に上記各キャリア上のデータ量を指示するための指示情報を送信するために用いられる。
【０１７３】
該ネットワーク装置は、
端末装置から送信された、少なくとも１つのキャリアのそれぞれ上のデータ量を指示するための指示情報を受信するために用いられる送受信ユニットと、該指示情報に基づいて該端末装置にリソースを割り当てるために用いられる処理ユニットと、を含む。
【０１７４】
なお、上記端末装置およびネットワーク装置における送受信ユニットは、トランシーバにより実現され、処理ユニットは、プロセッサにより実現されてもよい。つまり、本発明の実施例における方法例は、プロセッサに適用されてもよく、またはプロセッサによって実現されてもよい。
【０１７５】
実現過程において、本発明の実施例における方法例の各ステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み出し専用メモリ、プログラム可能読み出し専用メモリ、または電気的に消去可能なプログラム可能メモリ、レジスタなどの当該技術分野における成熟した記憶媒体内に配置され得る。該記憶媒体は、メモリに位置し、プロセッサは、メモリ内の情報を読み取り、そのハードウェアとともに上述した方法のステップを実行する。
【０１７６】
ただし、プロセッサは、信号の処理能力を有し、本発明の実施例に開示された各方法、ステップ、および論理ブロック図を実現または実行できる集積回路チップであり得る。例えば、上記のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、現場でプログラム可能なゲートアレイ（ｆｉｅｌｄ  ｐｒｏｇｒａｍｍａｂｌｅ  ｇａｔｅ  ａｒｒａｙ、ＦＰＧＡ）または他のプログラマブル論理デバイス、トランジスタロジックデバイス、ディスクリートハードウェアコンポーネントなどであり得る。また、汎用プロセッサはマイクロプロセッサであってもよく、または該プロセッサは任意の汎用のプロセッサなどであってもよい。
【０１７７】
また、本発明の実施例では、メモリは、揮発性メモリまたは不揮発性メモリであってもよく、または揮発性メモリおよび不揮発性メモリの両方を含んでもよい。ここで、不揮発性メモリは、読み出し専用メモリ（ｒｅａｄ−ｏｎｌｙ  ｍｅｍｏｒｙ、ＲＯＭ）、プログラム可能読み出し専用メモリ（ｐｒｏｇｒａｍｍａｂｌｅ  ＲＯＭ、ＰＲＯＭ）、消去可能なプログラム可能読み出し専用メモリ（ｅｒａｓａｂｌｅ  ＰＲＯＭ、ＥＰＲＯＭ）、電気的に消去可能なプログラム可能読み出し専用メモリ（ｅｌｅｃｔｒｉｃａｌｌｙ  ＥＰＲＯＭ、ＥＥＰＲＯＭ）、またはフラッシュメモリであってもよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってもよい。上述のメモリは、限定ではなく例示的であるが、例えば、本発明の実施例におけるメモリは、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、デュアルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期接続ダイナミックランダムアクセスメモリ（ｓｙｎｃｈ  ｌｉｎｋ  ＤＲＡＭ、ＳＬＤＲＡＭ）、およびダイレクトメモリバスランダムアクセスメモリ（Ｄｉｒｅｃｔ  Ｒａｍｂｕｓ  ＲＡＭ、ＤＲＲＡＭ）などであってもよいことを理解されたい。つまり、本明細書に記載のシステムおよび方法のメモリは、これらおよび任意の他の適切なタイプのメモリを含むことを意図しているが、これらに限定されない。
【０１７８】
最後に、本発明の実施例および添付の特許請求の範囲で使用される用語は、特定の実施例を説明する目的のためだけであり、本発明の実施例を限定することを意図していないことに留意されたい。
【０１７９】
例えば、本発明の実施例および添付の特許請求の範囲で使用される単数形の「１つ」、「前記」、および「該」は、文脈が他の意味を明確に示さない限り、複数形も含むことを意図している。
【０１８０】
また、例えば、文脈に応じて、本明細書で使用される「…とき」という用語は、「仮に」または「もし」または「…の場合」または「決定に応答する」または「検出に応答する」と解釈され得る。同様に、文脈に応じて、「決定すると」または「（陳述された条件またはイベント）を検出すると」という語句は、「決定する場合」または「決定に応答する」または「（陳述された条件またはイベント）を検出する場合」または「（陳述された条件またはイベント）を検出することに応答する」として解釈され得る。
【０１８１】
当業者は、本明細書に開示された実施例に関連して説明された様々な例のユニットおよびアルゴリズムステップが、電子ハードウェア、またはコンピュータソフトウェアと電子ハードウェアとの組合せで実装され得ることを認識することができる。これらの機能がハードウェアまたはソフトウェアのいずれで実行されるかは、技術案の特定の適用例および設計制約条件に依存する。当業者は、説明された機能を実現するために、特定のアプリケーションごとに異なる方法を使用することができるが、そのような実現は、本発明の実施例の範囲から逸脱するものと考えられるべきではない。
【０１８２】
当業者であれば、説明の便宜および簡潔にするために、上記に説明されたシステム、機器およびユニットの特定の動作プロセスが、前述の方法例における対応するプロセスを参照してもよく、ここでその説明が省略されることを明確に理解することができる。
【０１８３】
本願によるいくつかの実施例では、開示されているシステム、機器および方法は、他の形態により実施することもできると理解すべきである。例えば、以上に説明された機器の実施例は例示的なものにすぎない。例えば、前記ユニットの分割は、論理機能上の分割にすぎず、実施する際に別の形態で分割することもでき、例えば、複数のユニットまたは部品を別のシステムに組み合わせもしくは集積させたり、または一部の特徴を反映させず、実行しなかったりしてもよい。また、説明または検討した互いの結合または直接的な結合または通信接続は、いくつかのインタフェース、機器またはユニットを用いる間接的な結合または通信接続としてもよいし、電気的形態、機械的形態またはその他の形態としてもよい。
【０１８４】
前記分離される部品として説明されるユニットは、物理的に分離されるものでもよければ、分離されないものであってもよい。ユニットとして示される部品は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、またはすべてのユニットを使用して本発明の実施例の目的を達成することができる。
【０１８５】
また、本発明の実施例では、各機能ユニットが１つの処理ユニットに集積されてもよいが、各ユニットが単独で物理的な部品として存在するか、または２つ以上のユニットが１つのユニットに集積されてもよい。
【０１８６】
ソフトウェア機能ユニットの形で実現され、独立した製品として販売または使用される場合、コンピュータ読み取り可能な記録媒体に格納されてもよい。このような理解に基づいて、本発明の実施例の技術案の本質または従来技術に寄与する部分、または該技術案の部分は、１つのコンピュータ装置（パーソナルコンピュータ、サーバ、またはネットワーク装置などであってもよい）に本発明の実施例に記載の方法のステップの全部または一部を実行させるための複数のコマンドを含む１つの記憶媒体に記憶されたソフトウェア製品の形態で具体化されてもよい。前述の記憶媒体は、Ｕディスク、モバイルハードディスク、読み出し専用メモリ、ランダムアクセスメモリ、磁気ディスクまたはコンパクトディスクなど、プロクラムコードを記憶可能な様々な媒体を含む。
【０１８７】
本明細書に記載される内容は、本発明の実施例の具体的な実施形態にすぎず、本発明の実施例の保護範囲はこれに限定されない。当業者が本発明の実施例に開示される技術範囲において容易に想到し得る変更や置換は、いずれも本発明の実施例の保護範囲内に含まれる。これにより、本発明の実施例の保護範囲は、特許請求の範囲に記載の内容に準拠する。
【図１】
2021505025.tif 000003
【図２】
2021505025.tif 000004
【図３】
2021505025.tif 000005
【図４】
2021505025.tif 000006
【図５】
2021505025.tif 000007
【図６】
2021505025.tif 000008
【図７】
2021505025.tif 000009
【図８】
2021505025.tif 000010
【国際調査報告】
2021505025.tif 000011
2021505025.tif 000012
2021505025.tif 000013
2021505025.tif 000014